(57)【要約】【課題】  安否確認方法においては、対象者の動きを検知し一定時間動きが無い場合に異常として連絡がくるだけで、日々健在でいることを確認する方法がなかった。【解決手段】  キー操作に応じて自動的に顔写真の撮影を行なう携帯電話とし、また、撮影した顔写真を用いて撮影画像内に顔が含まれるかを検出し、顔写真から顔の特徴点を抽出し顔情報として保存し、本人の顔写真であるかどうかを認証し、加えて、携帯電話の位置情報あるいは時刻情報を取得し、アラーム設定によりキー操作を促し、撮影画像及び携帯電話の位置時刻情報を電子メールに添付する。【選択図】        図１２
2007124114.tif 000002
【特許請求の範囲】
【請求項１】
カメラ撮影部とキー操作検知部とを備えた携帯電話であって、
キー操作検知部により携帯電話のキー操作を検知した場合にカメラ撮影部を動作させ自動的に撮影する制御部を具備することを特徴とする携帯電話。
【請求項２】
請求項１に記載の携帯電話において、前記カメラ撮影部が撮影した画像に顔が入っているかを検出する顔検出部を具備することを特徴とする携帯電話。
【請求項３】
請求項２に記載の携帯電話において、前記顔検出部が撮影した画像内で顔を検出した場合、前記顔の含まれる写真画像を予め指定の宛先へ健在情報メールとして送信する送信部を具備することを特徴とする携帯電話。
【請求項４】
請求項３に記載の携帯電話において、前記顔検出部が撮影した画像内で顔を検出した場合、前記顔の含まれる写真画像に加え、携帯電話の情報（位置情報、時刻）を取得し、予め指定の宛先へ健在情報メールとして送信する送信部を具備することを特徴とする携帯電話。
【請求項５】
請求項２に記載の携帯電話において、
顔認証部を有し、かつ、前記顔検出部が撮影した画像内で顔を検出した場合には、顔認証部を動作させ、登録された人と認証された場合、前記顔の含まれる写真画像を予め指定の宛先へ健在情報メールとして送信する送信部を具備することを特徴とする携帯電話。
【請求項６】
請求項２に記載の携帯電話において、顔認証部を有し、かつ、前記顔検出部が撮影した画像内で顔を検出した場合には、前記顔認証部を動作させ、登録された人ではないと判断された場合、登録者以外の者が操作しているという異常情報メールとして、前記顔の含まれる写真画像を予め指定の宛先へ電子メールとして送信する送信部を具備することを特徴とする携帯電話。
【請求項７】
請求項１〜６のいずれかに記載の携帯電話において、携帯電話操作誘導アラーム設定部を有し、設定時刻には携帯電話の操作を促す画面あるいは音、バイブレーション等が動作し、携帯電話の操作が行なわれた場合には、その操作に応じて所定の動作処理が行なわれることを特徴とする携帯電話。
【請求項８】
請求項１〜７のいずれかに記載の携帯電話を用いて、前記携帯電話の所有者の安否を確認することを特徴とする安否確認方法。
【発明の詳細な説明】
【技術分野】
【０００１】
本発明は、携帯電話のカメラ機能を用いて高齢者や子ども、単身赴任者等の安否を確認する方法に関する。
【背景技術】
【０００２】
近年、高齢化社会への移行に伴い一人暮らしの高齢者が増加している。その場合、近親者は常に一人暮らしの高齢者の安否を気にかけており、定期的に電話をかける、あるいは訪問する等で安否を確認している。そのような負担を減らす為に、従来から、家庭内の電気製品等の動作を検出し安否確認を行なうものが多く提案されている。更に近年は、携帯電話の操作状況を確認したり、位置情報を用いたりする方法も提案されている。
【０００３】
特許文献１には、所有者の携帯電話の位置情報と携帯電話の使用状況の情報を安否確認のシステムセンタへ通知し、在宅か外出かを判断、在宅かつ携帯電話不使用の場合にはシステムセンタから安否確認要求を送り、応答が無い場合には異常発生とし緊急連絡を行なうシステムが記載されている。
【０００４】
特許文献２には、電気製品の操作を検出する検出部と通信ネットワークを介して連絡先アドレスにメッセージを送る通信部を備えた安否確認装置が記載されており、独居者が携帯して使用すること、及び所定の時間に渡り電気機器に対する操作が発生しない場合に連絡先に自動的に通知されることが記載されている。
【０００５】
特許文献３には、携帯電話のアラーム鳴動状態で入力があるかどうかを判断し、一定時間内に操作が無い場合は、その旨を通信手段により送信し、操作があったら、待受に戻すこと、及び、携帯電話にアラームを設定し、その操作の有無により安否確認を行なう方法が記載されている。
【特許文献１】特開２００３−３６４９１号公報
【特許文献２】特開２００５−５７５１３号公報
【特許文献３】特開２００５−２５７０２号公報
【発明の開示】
【発明が解決しようとする課題】
【０００６】
上記の特許文献１から特許文献３の従来技術では、いずれも一定時間操作が無い場合のみ連絡をする仕組みとなっており、安否情報の内、異常の場合のみの情報しか受け取ることが出来ず、積極的に日々健在であることを確認できる仕組みにはなっていなかった。連絡内容も操作が無いことを知らせるに留まり、その情報以外には本人の様子を確認する術がなかった。
【０００７】
また、操作の有無を確認するだけでは本人以外の介助者等が操作したことも考えられ確実に本人の健在を確認できるものではなかった。
【０００８】
そこで、本発明は、安価なコストにより、近親者がより安心できる情報を日々確認する安否確認方法を提供することを目的とする。本方法においては、特別な安否確認センタなどを経由する必要が無いことから、高齢者の一人暮らしだけでなく、単身赴任者や子どもの外出時等での使用も容易な安否確認方法を提供することを目的とする。
【課題を解決するための手段】
【０００９】
上記目的を達成するために、本発明は、カメラ撮影部と、キーが操作されたことを検知する検知部と、電子メールを送信する送信部を有する携帯電話において、キー操作に応じて自動的に顔写真の撮影を行なう携帯電話を提案する。
【００１０】
また、撮影した顔写真を用いて撮影画像内に顔が含まれるかを検出する顔検出部と、顔認証部として顔写真から顔の特徴点を抽出し顔情報として保存する部と、同様にして得られた顔情報とを比較して本人のものであるかどうかを認証する認証部を有する。
【００１１】
加えて、携帯電話の位置情報あるいは時刻情報を取得する取得部と、アラーム設定によりキー操作を促す部と、撮影画像及び携帯電話の位置時刻情報を電子メールに添付する送信部を有する。
【発明の効果】
【００１２】
本発明の携帯電話によれば、カメラの撮影部を用いて撮影した画像を送る為、近親者は本人の顔を見ることでより安心することができる。また、顔認証技術を用いることにより、確実に登録者についての情報のみが送られる。誤って別の人の情報が送られることがなくなり通信コスト及び確認の手間を省くことができる。
【００１３】
逆に登録者以外であるという情報を生かし、単身生活者の生活状況の把握や犯罪の防止に利用することもできる。またこれらの仕組みはセンサーの取り付けや新たにサービスに加入する必要がなく、導入が容易で安価である。
【発明を実施するための最良の形態】
【００１４】
以下に、本発明の実施形態について、図面を用いて説明する。
【実施例１】
【００１５】
まず、本発明の実施例１について説明する。
本発明の実施例１は、本実施形態は、携帯電話のキー操作を検知した場合にカメラ撮影機能を動作させ自動的に撮影処理を行なう携帯電話である。
【００１６】
図１は、本発明の実施例１を示すものである。安否を確認される人が携帯電話のキーの操作を行なった場合、それを検知し携帯電話に付属するカメラ部が動作し、キー操作を行なった人の画像を撮影する場面を示している。撮影にあたっては、顔画像撮影用のシーン設定を顔画像撮影シーンとする。
【００１７】
顔画像撮影シーンは、起動するカメラを折りたたみ携帯電話の内側に属するインカメラとする、メール送信に適した画像サイズ設定とすることなどが該当する。携帯電話のキー操作を検知した場合には、自動的に顔画像撮影シーン設定がなされ、カメラが自動撮影することを想定している。これにより、携帯電話を操作した人の画像が撮影される。
【００１８】
なお、携帯電話のキー操作には、電源のＯＮＯＦＦ、着呼時等あるが、全てのキー操作に対して本発明の機能が実行されては通常の使用に差し支える為、どのキー操作を検知し安否確認情報とするかは、予めユーザーが設定してもよい。
【００１９】
本発明の実施例１での機能ブロックの例を図２に示す。
実施例１の携帯電話は図２に示す「操作部（２０１）」「キー検出部（２０２）」「キー種類判断部（２０３）」「カメラ制御部（２０４）」「顔画像撮影設定部（２０５）」「撮影部（２０６）」「表示部（２０７）」を有する。
【００２０】
カメラ機能を持つ携帯電話において、操作部は携帯電話の電源ボタンを初めとする各種のボタンやメニューの操作を行うために使用される。キー検知部はキーやボタンの操作を検知する。キー種類判断部は検知されたキーが指定されたキーであるか判断する。カメラ制御部は、操作部の処理内容に応じてカメラを制御する。顔画像撮影設定部は撮影画像に関し、顔画像の撮影に適したカメラ設定を行なう。撮影部は撮影設定に応じたカメラ撮影を行なう。表示部は撮影画像を表示する。
【００２１】
図３に、本発明の実施例１の処理の流れの一例を示す。
ＯＮＯＦＦ、着呼への応答など各種所携帯電話のキーを検知したか判断する（Ｓ３０１）、検知したキー操作が、ユーザーが予め安否確認用に指定したキー操作であるかを判断する（Ｓ３０２）。安否確認用キーが操作された場合には、安否確認用の写真撮影設定とする（Ｓ３０３）。具体的には、起動カメラを通常携帯電話を使用する側にあるインカメラとする、メール添付に適切な撮影サイズ設定を行なう。次に先の条件に従いカメラを起動し（Ｓ３０４）。続けて撮影する（Ｓ３０５）という一連のステップを自動的に行う。
【００２２】
以上のように、本発明の実施例１による携帯電話においては、携帯電話に対して何らかの操作を行なうと、自動的にカメラが起動し撮影まで行なわれることとなる。
【実施例２】
【００２３】
本発明の実施例２は、実施例１において撮影した画像内に顔が写っているかを検出する顔検出処理を行なうことを特徴とする携帯電話である。
【００２４】
本実施例２での機能ブロックの例を図４に示す。
本実施例２の携帯電話は図４に示す「撮影画像（４０１）」「顔検出部（４０２）」「記憶部（４０３）」を有する。
【００２５】
顔検出部は携帯電話で撮影した画像内に顔が含まれているかどうかを判断する。記憶部は顔が含まれている撮影画像を保存する。
【００２６】
図５に本実施例２の処理の流れの一例を示す。
なお、図５の内Ｓ５０１からＳ５０５は、実施例１での処理と同様である為、新に追加されたステップの処理についてのみ説明する。
カメラ撮影後、自動的に撮影された画像に顔が含まれているかどうかを判断する（Ｓ５０６）。顔の検出方法は特に問わない。撮影画像内に顔が含まれている場合には、安否情報として撮影画像を保存する（Ｓ５０７）。顔が含まれない場合には、再度撮影するか、安否情報が取得できなかったものとする。
【００２７】
図６は、実施例２の携帯電話の一例を示したものである。図６のように撮影画像内に顔が入っている場合には、安否情報として撮影画像を保存するものとする。
【実施例３】
【００２８】
本発明の実施例３は、撮影した画像内で顔を検出した場合、顔画像の含まれる写真を予め指定の宛先へ健在情報メールとして送信する機能を有することを特徴とする携帯電話である。
【００２９】
予め、安否情報を通知する連絡先メールアドレスを登録しておく。近親者あるいは管理会社などがこの宛先にあたる。健在の確認はこのメールを通じて行なわれる。自動撮影された画像に顔が含まれていると判断された場合、予め登録された連絡先に対して安否情報メールを送信する。その際に、自動撮影された顔画像が添付されることにより、安否情報メールを受け取った人は、健在である旨をメール文でみるだけでなく、その時の顔画像を用いて確認することができる。安否情報メールについては、予め指定のタイトルや健在時のメール文などを設定しておく。
【００３０】
本実施例３での機能ブロックの例を、図７に示す。本実施例３の携帯電話は、図７に示す「撮影画像（７０１）」「顔検出部（７０２）」「記憶部（７０３）」「安否情報メール送信設定部（７０４）」「安否情報メール送信部（７０５）」を有する。安否情報メール送信設定部は安否情報メールの送り先を設定する。安否情報メール送信部は、顔の含まれた画像（安否情報メール）を送信する。
【００３１】
図８に、本実施例３の処理の流れの一例を示す。なお、図８の内Ｓ８０１からＳ８０７は、実施例２での処理と同様である為、新に追加されたステップの処理についてのみ説明する。顔画像写真が安否情報として保存されている場合には、この保存画像を安否情報メールに添付し（Ｓ８０８）、予め登録された指定のメールアドレスに対して送信する（Ｓ８０９）。
【実施例４】
【００３２】
本発明の実施例４は、本実施形態は、実施例３において、撮影した画像内で顔を検出した場合、顔画像の含まれる写真だけでなく、その時の携帯電話の情報（位置情報、時刻）を取得し、予め指定の連絡先へ安否情報メールとして送信することを特徴とする携帯電話である。
【００３３】
実施例３においては、携帯端末で何らかのキー操作がなされた場合、自動的にカメラが起動し使用者の顔を撮影し、撮影画像で顔が検出された場合にはその写真を安否情報として近親者などの連絡先へメール送信した。実施例４においては、その際に顔写真に加え、携帯端末操作時の時刻及び位置情報も合わせて送信する。これにより連絡を受けた近親者は、居場所の見当がつき一層安心できる。
【００３４】
本実施例４での機能ブロックの例を、図９に示す。実施例４の携帯電話は、図９に示す「撮影画像（９０１）」「顔検出部（９０２）」「記憶部（９０３）」「安否情報メール送信設定部（９０４）」「安否情報メール送信部（９０５）」「位置情報取得部（９０６）」「時刻取得部（９０７）」を有する。
【００３５】
位置情報取得部はキー操作検出時の位置情報を取得し保存する。同様に時刻取得部は、キー操作検出時時刻を保存し、安否情報メールとして画像と共に送信する。
【００３６】
図１０に、処理の流れを示す。携帯端末のキー操作が安否確認指定キーであった場合（Ｓ１００２）には、その時の日時と携帯端末の位置情報を取得、保存する（Ｓ１００３，Ｓ１００４）。続いて、カメラが自動起動され撮影される（Ｓ１００６）。撮影画像内に顔画像が含まれる場合には、顔画像写真を安否情報として保存する（Ｓ１００７，Ｓ１００８）。この顔画像データと、先に保存されている携帯端末操作時の日時と位置情報からメールを作成（Ｓ１０１１）、自動的に指定アドレスに送信する（Ｓ１０１２）。
【００３７】
図１１は、安否情報メール例である。宛先に近親者などの安否情報通知者、題名を安否情報等とし、本文に携帯端末操作時に取得した日時と位置情報を記載する。顔の含まれた画像を添付データとしたメールが自動的に作成される。
【００３８】
このメールを受けた側は、このメールを受信するだけでも無事でいることが確認できる。更に、本文や添付情報から実際にどのような状態にいるかを確認することも可能であり、一層安心を得ることが出来る。
【実施例５】
【００３９】
本実施例５は、顔認証部を有しており、かつ、撮影した画像内で顔を検出した場合には顔認証部を動作させ、登録された人と認証された場合、顔画像の含まれる写真を予め指定の宛先へ健在情報メールとして送信する送信部を備えたことを特徴とする携帯電話である。
【００４０】
実施例５においては、携帯端末に顔認証部が搭載されていることを前提とする。使用者本人は自身の顔について、予め顔認証登録をしておく。顔認証の方式については、問わない。キー操作をきっかけに自動撮影された画像に顔が含まれていると判断された場合、引き続き携帯端末に登録された顔の本人であるどうかの認証を行なう。登録された本人であることが認証された場合は、撮影画像を安否情報として保存し、連絡先に対して安否情報メールを送信する。
【００４１】
これにより、連絡を受けた近親者等は、確実に本人からの連絡を受け取ることができる。連絡を受ける人が近親者である場合は写真を見れば本人かどうか確認できるが、ヘルパーや管理会社のような場合は必ずしも顔を熟知しているとは限らない。その場合でも、確実に本人からの連絡を受け取ることが出来る。また、本人以外の介助者等が本人に代わって電話に出るような場合にも認証の仕組みを用いることにより、本人以外の連絡が来ることを防ぐことができ、確実に本人の健在メールのみを受け取ることが可能となる。
【００４２】
あるいは、逆に介助者の顔を登録しておき、介助者が確実にその時間に来ているかどうかの確認に利用することもできる。
【００４３】
本実施例５での機能ブロックの例を図１２に示す。本実施例５の携帯電話は、図１２に示す「撮影画像（１２０１）」「顔検出部（１２０２）」「顔認証部（１２０３）」「顔登録部（１２０４）」「記憶部（１２０５）」「安否情報メール送信設定部（１２０６）」「安否情報メール送信部（１２０７）」「位置情報取得部（１２０８）」「時刻取得部（１２０９）」を有する。顔認証部は、予め登録してある顔情報との認証を行なう。認証の結果同一人物である場合には、安否情報としてメール送信を行なう。
【００４４】
図１３に、顔登録の一例を示す。顔を撮影後（Ｓ１３０１）、撮影画像から顔を検出し（Ｓ１３０２）、顔の特徴点を抽出（Ｓ１３０３）、顔認証用データとして登録する（Ｓ１３０４）。これは顔認証用登録の一例であり、方式は問わない。
【００４５】
図１４に、本実施例５の処理の流れを示す。
【００４６】
携帯端末に何らかのキー操作がなされ、それが安否確認指定キーであった場合には（Ｓ１４０２）、その時の日時と携帯端末の位置情報を取得、保存する（Ｓ１４０３，Ｓ１４０４）。続いて、カメラが自動起動され撮影される（Ｓ１４０６，Ｓ１４０７）。撮影画像内に顔画像が含まれる場合には（Ｓ１４０８）、続けて顔認証を行なう（Ｓ１４０９）。この場合は、予め登録された顔情報と同一人物であるかの確認を行なう。同一人物であった場合には、顔画像写真を安否情報として保存する（Ｓ１４１０）。この顔画像データと、先に保存されている携帯端末操作時の日時と位置情報からメールを作成（Ｓ１４１１）、自動的に指定アドレスに送信する（Ｓ１４１２）。
【実施例６】
【００４７】
本実施例６は、実施例５において顔認証機能を動作させ、登録された人ではないと判断された場合、登録者以外の者が操作しているという異常情報メールとして、顔画像の含まれる写真を予め指定の宛先へ電子メールとして送信する機能を特徴とする携帯電話である。
【００４８】
実施例６は、実施例６と途中まで同様であるので、異なる部分のみを説明する。
【００４９】
実施例５においては、登録された本人であることが認証された場合は、撮影画像を健在情報として保存し、健在である旨を知らせる連絡先に対してメールを送信するが、実施例６においては、顔登録者以外の者が写真に写っている場合には、異常情報として安否情報メールを送信することを特徴とする（図１４のＳ１４１４）。
【００５０】
これにより、連絡を受けた近親者は、異常情報の状態のメールを受信するだけでなく、さらに登録者以外の顔写真も同時に受け取ることができる。登録者ではないが知人が写っているのか、あるいは全く知らない人が写っている為、犯罪にまきこまてれている恐れがある等の判断の材料にすることができる。
【実施例７】
【００５１】
本実施例７は、操作誘導アラーム設定機能を用いることによりアラーム設定時刻には携帯電話の操作を促す画面あるいは音、バイブレーション等が動作し、携帯電話の操作が行なわれた場合には、その操作に応じて実施例１〜６までのいずれかの処理が行なわれることを特徴とする携帯電話である。
【００５２】
携帯電話を頻繁に利用するユーザーであれば、上記の実施例１〜６の処理が実行され、近親者等は安心することができるが、あまり携帯電話を利用しない場合も考えられる。その場合には、携帯電話に操作誘導用のアラーム設定機能を持たせ、アラームが鳴るタイミングで携帯電話の操作を促すようにする。その操作に応じて、実施例１〜６までいずれかの処理が実施される。
【００５３】
本実施例７での機能ブロックの例を図１５に示す。本実施例７の携帯電話は、図１５に示す「操作誘導アラーム設定部（１５０１）」「アラーム動作部（１５０２）」「キー操作部（１５０３）」を有する。操作誘導アラーム設定部で操作誘導機能の動作時刻を設定する。アラーム動作部では、指定時刻になると画面、音等で操作を誘導する。
【００５４】
図１６に、本実施例７の処理の流れを示す。操作誘導アラームが設定されている状態で（Ｓ１６０１）、アラーム時刻になると（Ｓ１６０２）、操作誘導処理が実施される（Ｓ１６０３）。具体的には、音を鳴らしたり、バイブレーションを作動させたり、ライトを点滅させる、バイブレーションを動作させるなどの処理である。それに応じて、使用者がキー操作を行なった場合には（Ｓ１６０３）実施例１〜５のいずれかの処理が実施される（Ｓ１６０４）。キー操作が無い場合には、次のアラーム時刻まで待つか、何らかのキー操作が行なわれるまで待つこととなる。
【図面の簡単な説明】
【００５５】
【図１】図１は、本発明の実施例１を説明する為の概念図である。
【図２】図２は、本発明の実施例１を説明する為の機能ブロック図である。
【図３】図３は、本発明の実施例１の処理の流れの説明図である。
【図４】図４は、本発明の実施例２を説明する為の機能ブロック図である。
【図５】図５は、本発明の実施例２の処理の流れの説明図である。
【図６】図６は、本発明の実施例２を説明する為の概念図である。
【図７】図７は、本発明の実施例３を説明する為の機能ブロック図である。
【図８】図８は、本発明の実施例３の処理の流れの説明図である。
【図９】図９は、本発明の実施例４を説明する為の機能ブロック図である。
【図１０】図１０は、本発明の実施例４の処理の流れの説明図である。
【図１１】図１１は、本発明の実施例４の安否情報メール例である。
【図１２】図１２は、本発明の実施例５を説明する為の機能ブロック図である。
【図１３】図１３は、本発明の実施例５の処理の流れの説明図である。
【図１４】図１４は、本発明の実施例５、６の処理の流れの説明図である。
【図１５】図１５は、本発明の実施例７を説明する為の機能ブロック図である。
【図１６】図１６は、本発明の実施例７の処理の流れの説明図である。
【符号の説明】
【００５６】
２０１    操作部
２０２    キー検出部
２０３    キー種類判断部
２０４    カメラ制御部
２０５    顔画像撮影設定部
２０６    撮影部
２０７    表示部
４０１    撮影画像
４０２    顔検出部
４０３    記憶部
７０１    撮影画像
７０２    顔検出部
７０３    記憶部
７０４    安否情報メール送信設定部
７０５    安否情報メール送信部
９０１    撮影画像
９０２    顔検出部
９０３    記憶部
９０４    安否情報メール送信設定部
９０５    安否情報メール送信部
９０６    位置情報取得部
９０７    時刻取得部
１２０１    撮影画像
１２０２    顔検出部
１２０３    顔認証部
１２０４    顔登録部
１２０５    記憶部
１２０６    安否情報メール送信設定部
１２０７    安否情報メール送信部
１２０８    位置情報取得部
１２０９    時刻取得部
１５０１    操作誘導アラーム設定部
１５０２    アラーム動作部
１５０３    キー操作部
【図１】
2007124114.tif 000003
【図２】
2007124114.tif 000004
【図３】
2007124114.tif 000005
【図４】
2007124114.tif 000006
【図５】
2007124114.tif 000007
【図６】
2007124114.tif 000008
【図７】
2007124114.tif 000009
【図８】
2007124114.tif 000010
【図９】
2007124114.tif 000011
【図１０】
2007124114.tif 000012
【図１１】
2007124114.tif 000013
【図１２】
2007124114.tif 000014
【図１３】
2007124114.tif 000015
【図１４】
2007124114.tif 000016
【図１５】
2007124114.tif 000017
【図１６】
2007124114.tif 000018